(57)【要約】      （修正有）【課題】不整地でも走行性が良く、方向転換などハンドル操作性にも優れている上、重い箱を運搬するのに好適で、しかも停車時にスタンドを掛けてタイヤをロックする、安定性にも優れた箱昇降運搬車を提供する。【解決手段】２輪のタイヤ２を取付けた台車フレーム３に、左右２本の支柱４を立設し、ここに後方に向かってハンドル５をそれぞれ取付けると共に、両支柱間に昇降フレーム７を昇降自在に支持し、昇降フレーム７の上部に手動の巻上げウインチ１１のワイヤー８を連結し、昇降フレーム７の前面に左右に間隔をおいて、巣箱３０を支持する２本のアーム１２を水平に突設し、前記タイヤ２の前後に延びたスタンド１７を上下に回動自在に取付けて、走行時にスタンド１７を跳ね上げて、ハンドル５を押して走行し、停車時にスタンド１７を掛けてタイヤ２をロックするようにしたものである。【選択図】図１
0003153561.tif 000002
【実用新案登録請求の範囲】
【請求項１】
２輪のタイヤを取付けた台車フレームに、左右２本の支柱を立設し、ここに後方に向かってハンドルをそれぞれ取付けると共に、両支柱間に昇降フレームを昇降自在に支持し、昇降フレームの上部に手動の巻上げウインチのワイヤーを連結し、昇降フレームの前面に左右に間隔をおいて、箱を支持する２本のアームを水平に突設し、前記タイヤの前後に延びたスタンドを上下に回動自在に取付けて、走行時にスタンドを跳ね上げて、ハンドルを押して走行し、停車時にスタンドを掛けてタイヤをロックするようにしたことを特徴とする箱昇降運搬車。
【請求項２】
スタンドが、台車フレームの前後に回動自在に取付けたレバーにそれぞれ連結され、このレバーがコイルスプリングに連結されたカム板に接続され、このカム板と係合するフックを形成した解除ペダルを設けたことを特徴とする請求項１記載の箱昇降運搬車。
【請求項３】
支柱をローラーのガイドレールとし、昇降フレームの両側にローラーを取付けて、このローラーをガイドレールとなる支柱に昇降自在に支持したことを特徴とする請求項１記載の箱昇降運搬車。
【考案の詳細な説明】
【技術分野】
【０００１】
本考案は、蜂箱や作物収納箱などの箱昇降運搬車に関するものである。
【背景技術】
【０００２】
一般に、重量のある箱を運搬する場合に台車が用いられている。この台車としては、例えばフォーク状のフレームの下部に車輪を設け、このフレームの後方にハンドルを取付けると共に、前記フレームにリンク機構により昇降する側部昇降台を取付け、これに連結された踏みバーを踏むことにより、箱（コンテナ）の底部に差し込んだ側部昇降台が上昇して箱を持ち上げた状態で運搬するようになっている（特許文献１）。
【０００３】
しかしながらこれは工場や駐車場など平坦な路面を運搬することはできるが、養蜂を行なっている畑などの不整地を走行することができない。また養蜂では、巣箱の重量が１個５０Ｋｇ程度もあり、これをトラックから降ろして畑に並べ、次の場所に移動する時には、トッラクの所まで手で持って運び、更に荷台に載せる作業は重労働であった。また巣箱の上部には蜂が採取してきた蜜が溜る蜜巣が形成され、この蜜巣を取り出して別の箱に移し、この箱を、遠心分離器を搭載しているトラックの荷台まで運んで蜂蜜を分離しているが、この運搬作業も重労働であった。
【０００４】
また収穫した果実や野菜などを収納するプラスチック製の箱を、トラックに載せて運搬する場合や、倉庫や選果場まで運ぶ場合、２輪車で運搬しているが、２輪車へ積み降ろし作業も重労働であった。またりんごなどの高い枝の上になる果実を収穫する場合、脚立の上に乗って採取した果実を箱に直接入れることができず作業性が悪かった。
【０００５】
このため本考案者は、４輪のタイヤを取付けた台車に２本の支柱を立設し、この両支柱の間に、昇降フレームを昇降自在に支持し、昇降フレームの上部に、巻上げウインチのワイヤーを連結し、前記昇降フレームの前面に間隔をおいて２本のアームを前方に向かって水平に突設し、このアームを横方向に可動自在に支持して、この間に箱を支持する箱昇降運搬車を先に開発した（特許文献２）。
【０００６】
この箱昇降運搬車は、箱の幅に合わせてフォーク状のアームの間隔を調整できると共に、手動の巻上げウインチで昇降するので、重い箱を運搬するのに好適である。しかしながら４輪のタイヤが取付けられているので、傾斜地や不整地を走行しにくく、また方向転換などの操作性も悪い問題があった。
【先行技術文献】
【特許文献】
【０００７】
【特許文献１】特開２００５−２６２９０２
【特許文献２】実用新案登録第３１４９７３９号公報
【考案の概要】
【考案が解決しようとする課題】
【０００８】
本考案は上記問題を改善し、傾斜した不整地でも走行性が良く、方向転換などハンドル操作性にも優れている上、巻上げウインチで昇降するので、重い箱を運搬するのに好適で、しかも停車時にスタンドを掛けてタイヤをロックするので、安定性にも優れた箱昇降運搬車を提供するものである。
【課題を解決するための手段】
【０００９】
本考案の請求項１記載の箱昇降運搬車は、２輪のタイヤを取付けた台車フレームに、左右２本の支柱を立設し、ここに後方に向かってハンドルをそれぞれ取付けると共に、両支柱間に昇降フレームを昇降自在に支持し、昇降フレームの上部に手動の巻上げウインチのワイヤーを連結し、昇降フレームの前面に左右に間隔をおいて、箱を支持する２本のアームを水平に突設し、前記タイヤの前後に延びたスタンドを上下に回動自在に取付けて、走行時にスタンドを跳ね上げて、ハンドルを押して走行し、停車時にスタンドを掛けてタイヤをロックするようにしたことを特徴とするものである。
【００１０】
本考案の請求項２記載の箱昇降運搬車は、請求項１において、スタンドが、台車フレームの前後に回動自在に取付けたレバーにそれぞれ連結され、このレバーがコイルスプリングに連結されたカム板に接続され、このカム板と係合するフックを形成した解除ペダルを設けたことを特徴とするものである。
【００１１】
本考案の請求項３記載の箱昇降運搬車は、請求項１において、支柱をローラーのガイドレールとし、昇降フレームの両側にローラーを取付けて、このローラーをガイドレールとなる支柱に昇降自在に支持したことを特徴とするものである。
【考案の効果】
【００１２】
本考案に係る請求項１記載の箱昇降運搬車によれば、箱昇降運搬車１は２輪のタイヤ２で、ハンドル５を手で握って押して走行するので、傾斜した不整地でも安定して走行でき、方向転換などハンドル操作性にも優れている。また停車した時に、タイヤの前後に延びたスタンドを掛けてタイヤをロックするので安定性に優れていいると共に、巻上げウインチで昇降するので、小さな力で箱を昇降することができ、女性でも作業が容易である。
【００１３】
また請求項２記載の箱昇降運搬車によれば、スタンドを掛ける時は足で踏むだけで簡単に掛けることができ、解除する時には解除ペダルを足で踏むだけで良いので、ロックや解除が容易である。
【００１４】
また請求項３記載の箱昇降運搬車によれば、支柱をローラーのガイドレールとし、昇降フレームの両側にローラーを取付けて、このローラーをガイドレールとなる支柱に昇降自在に支持したので昇降フレームを滑らかに昇降させることができる。
【考案を実施するための最良の形態】
【００１５】
以下本考案の実施の一形態を図１ないし図５を参照して詳細に説明する。図において１は箱昇降運搬車を示すもので、左右に２輪のタイヤ２、２を取付けた台車フレーム３に２本の支柱４、４が立設されている。この左右の支柱４、４には後方に向かってハンドル５、５がそれぞれ取付けられている。また支柱４、４の前面には昇降フレーム７が昇降自在に取付けられ、昇降フレーム７の上部にワイヤー８が連結され、図２に示すように支柱４、４の上部の連結材９の上部に取付けたプーリー１０にワイヤー８を通して反転させ、支柱４、４の背面中間に取付けた手動の巻上げウインチ１１に連結されている。
【００１６】
前記昇降フレーム７の前面に、左右に間隔をおいて２本のアーム１２、１２が前方に向かってフォーク状に水平に突設されている。また昇降フレーム７は図３に示すように上下両側にローラー１３、１３が取付けられ、これはローラー１３、１３のガイドレール１４となる断面コ字形をなす左右の支柱４、４の内側に上下動自在に支持されている。
【００１７】
また前記両タイヤ２、２の間には、図１および図２に示すようにタイヤ２の前後に延びたスタンド１７、１７が取付けられている。このスタンド１７の一端は図４および図５に示すように、台車フレーム３の前後に設けた軸１８、１８で回動自在に支持されたＴ字形のレバー１９Ａ、１９Ｂに連結されている。前側のレバー１９Ａは、調整ボルト２０を介してカム板２１に連結されている。このカム板２１には係合部２２が形成されている。また後側のレバー１９Ｂは、連結片２５を介して前記カム板２１の下部側に連結されている。更にカム板２１は軸２３に回動自在に支持されていると共に、下部側が台車フレーム３にコイルスプリング２４で連結されている。
【００１８】
カム板２１の上方には係合部２２に係合するフック２６が軸２９で回動自在に設けられ、このフック２６の上部に解除ペダル２７が形成されている。更にこのフック２６は台車フレーム３にコイルスプリング２８で連結されている。
【００１９】
上記構成の箱昇降運搬車１で、蜂の巣箱３０を運搬する場合、図１に示すように箱昇降運搬車１のハンドル５を手で握って押して行き、畑に設置してある巣箱３０の前まで移動する。箱昇降運搬車１は２輪のタイヤ２で、ハンドル５を手で握って押しながら走行するので、傾斜した不整地でも安定して走行でき、方向転換などハンドル操作性にも優れている。巣箱３０の手前まで移動させたら、前進させて図３に示すようにフォーク状のアーム１２、１２を巣箱３０の枠縁３１の下方に位置させる。
【００２０】
この状態で図４に示すようにハンドル５側の左右のスタンド１７、１７を足で踏んで押し下げると、レバー１９Ｂが回動すると共に連結片２５が矢印方向に引かれ、この先端で連結されたカム板２１が軸２３を中心に回動する。この結果、調整ボルト２０が押し出されて、この先端に連結されたレバー１９Ａが回動し、ここに接続したスタンド１７が下方に回動して接地する。
【００２１】
この過程で、カム板２１の円弧部に、コイルスプリング２８で引っ張られながらフック２６が摺接して行くので、スタンド１７、１７が接地した時点で、フック２６がカム板２１の係合部２２に係合してロックされる。このため、タイヤ２の前後に延びたスタンド１７、１７が接地しているのでタイヤ２は回転せずに停止した状態に保持される。
【００２２】
このようにタイヤ２の回転がロックされた状態で図２に示すように、巻上げウインチ１１のハンドル１５を手で回転させると、ワイヤー８が巻き取られて、支柱４、４の内側のガイドレール１４内を昇降フレーム７の上下左右に取付けたローラー１３が走行して昇降フレーム７が上昇し、巣箱３０はアーム１２、１２で保持されて持ち上げられる。所定に高さまで巣箱３０を上昇させたら、図５に示すようにタイヤ２、２の内側の左右に取付けた解除ペダル２７、２７を足で踏むと、フック２６は軸２９を中心として回動し、カム板２１の係合部２２から解除される。
【００２３】
カム板２１の下部は、常時コイルスプリング２４で引っ張られているので、軸２３を中心として矢印方向に回動する。この結果、連結片２５は前方に引っ張られてレバー１９Ｂが回動して、ここに接続したスタンド１７が跳ね上げられる。また同時に調整ボルト２０が引かれてレバー１９Ａが回動し、前側のスタンド１７も跳ね上げられ、タイヤ２のロックか解除される。
【００２４】
この後、ハンドル５を握って箱昇降運搬車１をトラックまで押して行き、ここで図４に示すように再びハンドル５側の左右のスタンド１７、１７を踏んで押し下げると、カム板２１が回動し、前側のスタンド１７、１７も回動して接地すると共にフック２６が係合してタイヤ２の回転がロックされる。この状態で、巻上げウインチ１１のハンドル１５を手で回転させて、図２に仮想線で示すように巣箱３０を荷台の高さまで持ち上げてから荷台に積み込む。またトラックの荷台から、巣箱３０を降ろして畑まで運搬する場合は、この逆の動作となる。また蜜巣を巣箱３０から取出して空の巣箱３０に移し、これを遠心分離器を搭載しているトラックの荷台まで運ぶ時も同様である。
【００２５】
なお上記説明では、左右のアーム１２の間隔を固定した構造について示したが、一方のアーム１２は昇降フレーム７に固定され、他方のアーム１２を左右に可動自在に支持して、両アーム１２、１２の間隔を箱の幅に合わせて調整するようにした構造でも良い。また巣箱３０の運搬に限らず、収穫した作物を入れるコンテナの運搬にも広く利用することができる。またりんごなどの高い枝の上になる果実を収穫する場合、箱昇降運搬車のアームを上昇させて収穫箱（コンテナ）を高い位置に保持して、脚立の上で収穫した果実を直接、入れることができ、収穫の作業性を向上させることができる。
【図面の簡単な説明】
【００２６】
【図１】本考案の実施の一形態による箱昇降運搬車を押している状態を示す斜視図である。
【図２】図１に示す箱昇降運搬車の側面図である。
【図３】昇降フレームの昇降構造を示す水平断面図である。
【図４】スタンドを掛けて接地している状態のロック機構を示す側面図である。
【図５】スタンドを跳ね上げてロックを解除した状態のロック機構を示す側面図である。
【符号の説明】
【００２７】
１    箱昇降運搬車                                          
２    タイヤ                                                
３    台車フレーム                                          
４    支柱                                                  
５    ハンドル                                              
７    昇降フレーム                                          
８    ワイヤー                                              
９    上部の連結材                                          
１０  プーリー                                              
１１  巻上げウインチ                                        
１２  アーム                                                
１３  ローラー                                              
１４  ガイドレール                                          
１５  ハンドル                                              
１７  スタンド                                              
１８  軸                                                    
１９Ａ、１９Ｂ  レバー                                      
２０  調整ボルト                                            
２１  カム板                                                
２２  係合部                                                
２３  軸                                                    
２４  コイルスプリング                                      
２５  連結片                                                
２６  フック                                                
２７  解除ペダル                                            
２８  コイルスプリング                                      
２９  軸                                                                ３０  巣箱                                                  
３１  枠縁                                                  
【図１】
0003153561.tif 000003
【図２】
0003153561.tif 000004
【図３】
0003153561.tif 000005
【図４】
0003153561.tif 000006
【図５】
0003153561.tif 000007